(57)【要約】【課題】映像の再生や記録を制限するための手段としてパスワードを用いることなく、許可されていない人物が不正に操作を行うことができない映像監視装置を提供する。【解決手段】映像を受信する映像受信部１１と、ユーザの指示を受ける操作部１３と、ユーザを識別する入力個人識別情報を取得する個人識別情報入力部１４と、操作部１３の操作を許可するユーザを識別するための予め登録されている操作許可個人識別情報と、個人識別情報入力部１４により取得される入力個人識別情報との認証を行う操作認証処理部１５と、操作認証処理部１５によってユーザが認証された場合に、操作部１３が受けた指示に基づき映像受信部１１を制御する制御部１６とを備えた。【選択図】図１
2011004049.tif 000002
【特許請求の範囲】
【請求項１】
映像を受信する映像受信部と、
ユーザの指示を受ける操作部と、
前記ユーザを識別する入力個人識別情報を取得する個人識別情報入力部と、
前記操作部の操作を許可するユーザを識別するための予め登録されている操作許可個人識別情報と、前記個人識別情報入力部により取得される入力個人識別情報との認証を行う操作認証処理部と、
前記操作認証処理部によって前記ユーザが認証された場合に、前記操作部が受けた指示に基づき前記映像受信部を制御する制御部と
を備えた映像監視装置。
【請求項２】
前記映像受信部により受信される映像を記録する映像記録部を備え、
前記制御部は、前記操作認証処理部によって前記ユーザが認証された場合に、前記操作部が受けた指示に基づき前記映像記録部を制御する
ことを特徴とする請求項１記載の映像監視装置。
【請求項３】
前記映像受信部により受信される映像または前記映像記録部に記録される映像を表示する映像表示部を備え、
前記制御部は、前記操作認証処理部によって前記ユーザが認証された場合に、前記操作部が受けた指示に基づき前記映像表示部を制御する
ことを特徴とする請求項１または請求項２記載の映像監視装置。
【請求項４】
前記操作認証処理部には、前記ユーザによる前記操作部の操作可能範囲を設定する権限レベルが前記操作許可個人識別情報に関連付けられて登録され、
前記制御部は、前記操作認証処理部によって前記ユーザが認証された場合に、前記ユーザの権限レベルに従って、前記操作部の操作可能範囲を設定する
ことを特徴とする請求項１から請求項３のうちいずれか１項記載の映像監視装置。
【請求項５】
ユーザを識別する入力個人識別情報を取得する個人識別情報入力部と、
部屋への入室を許可するユーザを識別するための予め登録されている入室個人識別情報と、前記個人識別情報入力部により取得される入力個人識別情報との認証を行う入退室認証処理部と、
前記入退室認証処理部によって前記ユーザが認証された場合に、前記部屋への入室を制限する電子錠を解錠する電子錠制御部と、
映像を受信する映像受信部と、
前記ユーザの指示を受ける操作部と、
前記入退室認証処理部によって前記ユーザが認証された場合に、前記操作部の操作を許可するユーザを識別するための予め登録される操作許可個人識別情報と、前記入退室認証処理部から送信される入力個人識別情報との認証を行う操作認証処理部と、
前記操作認証処理部によって前記ユーザが認証された場合に、前記操作部が受けた指示に基づき前記映像受信部を制御する制御部と
を備えた映像監視装置。
【請求項６】
前記映像受信部により受信される映像を記録する映像記録部を備え、
前記制御部は、前記操作認証処理部によって前記ユーザが認証された場合に、前記操作部が受けた指示に基づき前記映像記録部を制御する
ことを特徴とする請求項５記載の映像監視装置。
【請求項７】
前記映像受信部により受信される映像または前記映像記録部に記録される映像を表示する映像表示部を備え、
前記制御部は、前記操作認証処理部によって前記ユーザが認証された場合に、前記操作部が受けた指示に基づき前記映像表示部を制御する
ことを特徴とする請求項５または請求項６記載の映像監視装置。
【請求項８】
前記操作認証処理部には、前記ユーザによる前記操作部の操作可能範囲を設定する権限レベルが前記操作許可個人識別情報に関連付けられて登録され、
前記制御部は、前記操作認証処理部によって前記ユーザが認証された場合に、前記ユーザの権限レベルに従って、前記操作部の操作可能範囲を設定する
ことを特徴とする請求項５から請求項７のうちいずれか１項記載の映像監視装置。
【請求項９】
前記部屋に在室しているユーザを管理する在室確認部を備え、
前記操作認証処理部には、前記ユーザによる前記操作部の操作可能範囲を設定する権限レベルが前記操作許可個人識別情報に関連付けられて登録され、
前記制御部は、前記在室確認部により管理されるユーザの権限レベルのうち最も低い権限レベルに従って、前記操作部の操作可能範囲を設定する
ことを特徴とする請求項５から請求項７記載のうちいずれか１項記載の映像監視装置。
【請求項１０】
前記部屋に在室しているユーザを管理する在室確認部を備え、
前記操作認証処理部には、前記ユーザによる前記操作部の操作可能範囲を設定する権限レベルが前記操作許可個人識別情報に関連付けられて登録され、
前記制御部は、前記入退室認証処理部が新規のユーザの認証を行った際、前記新規のユーザの権限レベルが、前記在室確認部により管理されるユーザの権限レベルより低い場合に、前記映像表示部に前記新規のユーザの権限レベルが低いことを示す情報を表示させる
ことを特徴とする請求項７記載の映像監視装置。
【請求項１１】
前記部屋に在室しているユーザを管理する在室確認部を備え、
前記操作認証処理部には、前記ユーザによる前記操作部の操作可能範囲を設定する権限レベルが前記操作許可個人識別情報に関連付けられて登録され、
前記制御部は、前記在室確認部により、所定の権限レベルのユーザが、所定の人数以上在室していると確認される場合に、当該権限レベルに従って、前記操作部の操作可能範囲を設定する
ことを特徴とする請求項５から請求項７のうちいずれか１項記載の映像監視装置。
【請求項１２】
前記部屋に在室しているユーザを管理する在室確認部を備え、
前記操作認証処理部には、前記ユーザによる前記操作部の操作可能範囲を設定する権限レベルが前記操作許可個人識別情報に関連付けられて登録され、
前記入退室認証処理部は、新規のユーザの認証を行う際、新規のユーザの権限レベルが、前記制御部により設定される権限レベルよりも低い場合には、認証しない
ことを特徴とする請求項５から請求項７のうちいずれか１項記載の映像監視装置。
【発明の詳細な説明】
【技術分野】
【０００１】
この発明は、例えば、認証手段を用いて映像の再生や記録などを制限する映像監視装置に関するものである。
【背景技術】
【０００２】
従来の映像監視装置では、操作部によりパスワードを入力する構成をとることによって、操作を許可されているユーザ以外の人物が映像の再生または検索を行うことができないように制限していた（例えば、特許文献１参照）。
【先行技術文献】
【特許文献】
【０００３】
【特許文献１】特開２０００−１３２６６９号公報
【発明の概要】
【発明が解決しようとする課題】
【０００４】
しかしながら、この特許文献１に開示される従来の映像監視装置では、映像の再生や記録を制限するための手段としてパスワードを用いていたため、このパスワードの入力が煩雑であるという課題があった。また、本来、再生や記録を許可されていない人物が不正にパスワードを取得した場合、このパスワードを用いて不正に操作を行うことができてしまうという課題があった。
【０００５】
この発明は、上記のような課題を解決するためになされたもので、映像監視装置の映像の再生や記録を制限するための手段としてパスワードを用いることなく、本来、映像の再生や記録を許可されていない人物が不正に操作を行うことができない映像監視装置を提供することを目的とする。
【課題を解決するための手段】
【０００６】
この発明に係る映像監視装置は、映像を受信する映像受信部と、ユーザの指示を受ける操作部と、ユーザを識別する入力個人識別情報を取得する個人識別情報入力部と、操作部の操作を許可するユーザを識別するために予め登録されている操作許可個人識別情報と、個人識別情報入力部により取得される入力個人識別情報との認証を行う操作認証処理部と、操作認証処理部によってユーザが認証された場合に、操作部が受けた指示に基づき映像受信部を制御する制御部とを備えたものである。
【発明の効果】
【０００７】
この発明によれば、上記のように構成したので、ＩＤカードから読み込んだ個人識別情報を用いて操作を許可するユーザを識別することにより、入力が煩雑なパスワードを用いることなく映像監視装置の操作を適切に制限することができ、操作を許可するユーザ以外の人物が不正に操作を行うことができないようにすることができる。
【図面の簡単な説明】
【０００８】
【図１】この発明の実施の形態１に係る映像監視装置の構成を示す図である。
【図２】この発明の実施の形態２における認証処理部に予め登録されている操作許可個人識別情報と権限レベルを示す図である。
【図３】この発明の実施の形態３に係る映像監視装置の構成を示す図である。
【図４】この発明の実施の形態４に係る映像監視装置の構成を示す図である。
【図５】この発明の実施の形態５に係る映像監視装置の構成を示す図である。
【図６】この発明の実施の形態６に係る映像監視装置の構成を示す図である。
【発明を実施するための形態】
【０００９】
以下、この発明の実施の形態について図面を参照しながら詳細に説明する。
実施の形態１．
図１はこの発明の実施の形態１に係る映像監視装置の構成を示す図である。
映像監視装置は、図１に示すように、カメラ１及び監視映像記録装置２から構成される。
【００１０】
カメラ１は、監視映像を撮像するものである。このカメラ１により撮像される監視映像が、監視映像記録装置２に送信される。
【００１１】
監視映像記録装置２は、カメラ１から送信される監視映像を記録するものであり、図１に示すように、映像受信部１１、映像記録部１２、操作部１３、カードリーダ（個人識別情報入力部）１４、操作認証処理部１５及び制御部１６から構成される。
【００１２】
映像受信部１１は、カメラ１から送信される監視映像を受信するものである。この映像受信部１１は、操作部１３により制御部１６を介して操作される。この映像受信部１１により受信される映像は映像記録部１２に送信される。
【００１３】
映像記録部１２は、映像受信部１１から送信される監視映像を記録するものである。この映像記録部１２は、操作部１３により制御部１６を介して操作される。
【００１４】
操作部１３は、ユーザからの操作を受け付けて、映像受信部１１及び映像記録部１２を制御部１６を介して操作するものである。この操作部１３は、例えば本体に備え付けられたボタン、赤外線リモコン送信部と赤外線リモコン受信部の組み合わせ、表示装置にメニュー画面を表示しマウスなどの入力器を用いてメニュー選択するＧＵＩ（Graphical User Interface）などにより構成される。この操作部１３により受け付けられるユーザの操作内容を示す操作情報は、制御部１６に送信される。
【００１５】
カードリーダ（個人識別情報入力部）１４は、個人を識別するための入力個人識別情報が記録されたＩＤカード３から、この入力個人識別情報を読み出すものである。このカードリーダ１４により読み出される入力個人識別情報は、操作認証処理部１５に送信される。
【００１６】
操作認証処理部１５は、操作部１３の操作を許可するユーザを識別するための操作許可個人識別情報を予め登録しており、この予め登録される操作許可個人識別情報とカードリーダ１４から送信される入力個人識別情報との認証を行うものである。この操作認証処理部１５による認証に成功したか否かを示す認証結果は、制御部１６に送信される。
【００１７】
制御部１６は、操作認証処理部１５による認証結果に基づいて、映像受信部１１及び映像記録部１２の操作を制限するものである。この制御部１６は、操作認証処理部１５から送信される認証結果から、ユーザの認証に成功したと判断した場合には、操作部１３がユーザからの操作を受け付けるように制御を行い、操作部１３から送信される操作情報に基づいて、映像受信部１１及び映像記録部１２の制御を行う。一方、制御部１６は、操作認証処理部１５から送信される認証結果から、ユーザの認証に失敗したと判断した場合には、操作部１３がユーザからの操作を受け付けないように制御を行う。
【００１８】
次に、上記のように構成される映像監視装置の動作について説明する。
まず、監視映像記録装置２の不図示の電源が投入され、操作認証処理部１５による認証が行われていない状態において、監視映像記録装置２に接続されるカメラ１は監視映像を撮影し、監視映像記録装置２の映像受信部１１に送信する。次いで、監視映像記録装置２の映像受信部１１はカメラ１から送信される監視映像を受信し、映像記録部１２に送信する。次いで、映像記録部１２は、映像受信部１１から送信される監視映像を不図示の記録媒体に記録する。このとき、制御部１６は、操作部１３がユーザからの操作を受け付けないように制御する。
【００１９】
上記のような状態において、カードリーダ１４は、ユーザによってＩＤカード３を読み込ませられることにより、このＩＤカード３から入力個人識別情報を読み出す。このカードリーダ１４から読み出される入力個人識別情報は操作認証処理部１５に送信される。次いで、操作認証処理部１５は、カードリーダ１４から送信される入力個人識別情報と予め登録される操作許可個人識別情報との認証を行う。この操作認証処理部１５により認証に成功したか否かを示す認証結果は制御部１６に送信される。
【００２０】
次いで、制御部１６は、操作認証処理部１５から送信される認証結果に従い、操作部１３の動作を制御する。ここで、制御部１６は、操作認証処理部１５から送信される認証結果から認証に成功したと判断した場合には、操作部１３に対して、ユーザの操作を受け付けるように制御する。
【００２１】
次いで、操作部１３は、監視映像の再生・記録などのユーザからの操作を受け付ける。この操作部１３により受け付けられるユーザの操作内容を示す操作情報は制御部１６に送信される。次いで、制御部１６は、操作部１３から送信される操作情報に従い、映像受信部１１や映像記録部１２の動作を制御する。
【００２２】
一方、制御部１６は、操作認証処理部１５から送信される認証結果から認証に失敗したと判断すると、操作部１３に対して、ユーザからの操作を受け付けないように制御する。
【００２３】
以上のように、この発明の実施の形態１によれば、ＩＤカード３から読み込んだ入力個人識別情報と操作認証処理部１５に予め登録される操作許可個人識別情報を用いて認証を行い、認証に成功したユーザのみに対して操作部１３による操作を許可するように構成したので、権限を与えられたユーザのみが確実に、簡単な操作により操作可能とすることができる。
【００２４】
なお、この発明の実施の形態１に係る映像監視装置では、個人識別情報入力部としてカードリーダ１４を用いて、ＩＤカード３から個人を識別する入力個人識別情報を読み出すように構成したが、カードリーダ１４の代わりに指紋読み取り装置や静脈パターン読み取り装置や虹彩読み取り装置などの他の入力個人識別情報を読み出す装置を用いて構成しても構わない。
【００２５】
また、この発明の実施の形態１に係る映像監視装置では、カードリーダ１４及び操作認証処理部１５を監視映像記録装置２の内部に設けるように構成したが、カードリーダ１４もしくは操作認証処理部１５を監視映像記録装置２の外部に設けて、監視映像記録装置２と接続するように構成しても構わない。
【００２６】
実施の形態２．
この発明の実施の形態１に係る映像監視装置では、操作認証処理部１５により認証されるユーザに対して、一律に、操作部１３による操作を許可するように構成したものであるが、この発明の実施の形態２に係る映像監視装置は、認証されるユーザ毎に許可する操作の範囲を設定するように構成したものである。
この発明の実施の形態２に係る映像監視装置は、図１に示す、この発明の実施の形態１に係る映像監視装置と同等の構成であり、以下、図１を参照して説明する。
【００２７】
図２はこの発明の実施の形態２における操作認証処理部１５に予め登録されている操作許可個人識別情報と権限レベルの関連づけを示す図である。
ここで、図２に示す、操作許可個人識別情報ａ１は、操作が許可されたユーザａを識別するための個人識別情報である。また、権限レベルａ２は、ユーザａに許可する操作内容を示す情報である。以下、操作許可個人識別情報ｂ１、権限レベルｂ２、操作許可個人識別情報ｃ１、権限レベルｃ２についても同様である。
【００２８】
図２に示すように、操作認証処理部１５では、操作許可個人識別情報ａ１〜ｃ１とユーザａ〜ｃに許可する操作内容である権限レベルａ２〜ｃ２とを予め関連付けて登録している。ここで、例えば、ユーザａの権限レベルａ２が１レベルの場合は、映像監視装置の電源断、監視映像の記録開始及び監視映像の記録停止の操作が許可され、権限レベルａ２が２レベルの場合は、権限レベルａ２が１レベルで許可される操作に加えて記録画質の設定変更の操作が許可され、権限レベルａ２が３レベルの場合は、全ての操作が許可されるように定義している。また、制御部１６は、監視映像記録装置２の電源投入直後の状態では、権限レベルａ２〜ｃ２を１レベルに設定して、映像監視装置の電源断、監視映像の記録開始及び監視映像の記録停止の操作のみ許可されるように操作部１３を制御する。
【００２９】
操作認証処理部１５は、予め登録される操作許可個人識別情報とカードリーダ１４から送信される入力個人識別情報との認証を行い、認証に成功した場合には、この操作許可個人識別情報に関連付けられる権限レベルを抽出し、この抽出した権限レベル及び認証に成功したことを示す認証結果を制御部１６に送信する。
【００３０】
制御部１６は、操作認証処理部１５から認証に成功したことを示す認証結果を受信した場合には、操作認証処理部１５から送信される権限レベルに従って、操作部１３の操作可能範囲を設定し、制御する。
【００３１】
次に、上記のように構成される映像監視装置の動作について説明する。
まず、カードリーダ１４は、ユーザによってＩＤカード３を読み込ませられることにより、このＩＤカード３から入力個人識別情報を読み出す。このカードリーダ１４から読み出される入力個人識別情報は操作認証処理部１５に送信される。次いで、操作認証処理部１５は、予め登録される操作許可個人識別情報とカードリーダ１４から送信される入力個人識別情報との認証を行う。
【００３２】
ここで、例えば、操作認証処理部１５は、操作許可個人識別情報ｂ１と入力個人識別情報との認証に成功した場合には、この操作許可個人識別情報ｂ１に関連付けられる権限レベルｂ２を抽出する。この操作認証処理部１５により認証に成功したことを示す認証結果及び抽出された権限レベルｂ２は制御部１６に送信される。次いで、制御部１６は、抽出した権限レベルｂ２に従って、操作部１３において操作可能とする範囲を設定する。例えば、権限レベルｂ２が２レベルである場合、映像監視装置の電源断、監視映像の記録開始と記録停止及び記録画質の設定変更の操作を許可されるように操作部１３を制御する。
【００３３】
以上のように、この発明の実施の形態２によれば、ＩＤカード３から読み出した入力個人識別情報により認証に成功したユーザのみに対して、予め登録された範囲の操作を許可するように構成したので、権限を与えられたユーザのみが確実に、簡単な操作により、それぞれの権限に応じた操作を可能とすることができる。
【００３４】
実施の形態３．
この発明の実施の形態２に係る映像監視装置では、操作認証処理部１５により認証されるユーザに対応する権限レベルに従って、ユーザに許可する操作内容を設定するように構成したものであるが、この発明の実施の形態３に係る映像監視装置は、監視映像記録装置２が監視映像を表示する機能を有する場合に、操作認証処理部１５により認証されるユーザに対応する権限レベルに従って、ユーザに許可する監視映像の閲覧操作内容を設定するように構成したものである。
【００３５】
図３はこの発明の実施の形態３に係る映像監視装置の構成を示す図である。
図３に示すように、この発明の実施の形態３に係る映像監視装置は、図１に示す、この発明の実施の形態１に係る映像監視装置の構成に、映像表示部１７を追加したものである。
以下、図１に示す、この発明の実施の形態１に係る映像監視装置と同一または同様の構成については、同一の符号を付し、その説明を省略する。
【００３６】
映像表示部１７は、映像受信部１１で受信した直後の監視映像や映像記録部１２に記録された監視映像を表示するものである。この映像表示部１７は、操作部１３により制御部１６を介して操作される。
なお、この映像表示部１７は、図示しない液晶モニタなどの表示装置と接続して、この表示装置に監視映像を表示させるように構成しても良いし、あるいは映像表示部１７に液晶モニタなどの表示装置を含むように構成しても良い。
【００３７】
操作部１３は、ユーザからの操作を受け付けて、映像受信部１１及び映像記録部１２を制御部１６を介して操作し、さらに、映像表示部１７を制御部１６を介して操作する。
【００３８】
制御部１６は、操作部１３から送られる操作情報に基づいて、映像受信部１１及び映像記録部１２を制御し、さらに、映像表示部１７を制御する。
【００３９】
操作認証処理部１５では、操作許可個人識別情報ａ１〜ｃ１とユーザａ〜ｃに許可する監視映像の閲覧操作内容である権限レベルａ２〜ｃ２を予め関連付けて登録している。例えば、ユーザａの権限レベルａ２が１レベルの場合は、監視映像を表示することはできず、権限レベルａ２が２レベルの場合は、映像受信部１１で受信した直後の監視映像の閲覧が許可され、権限レベルａ２が３レベルの場合は映像受信部１１で受信した直後の監視映像及び映像記録部１２に記録された監視映像の閲覧が許可されるように定義している。また、制御部１６は、監視映像記録装置２の電源投入直後の状態では、権限レベルａ２〜ｃ２を１レベルに設定して、映像を表示することができないように操作部１３を制御する。
【００４０】
次に、上記のように構成される映像監視装置の動作について説明する。
まず、カードリーダ１４は、ユーザによってＩＤカード３を読み込ませられることにより、このＩＤカード３から入力個人識別情報を読み出す。このカードリーダ１４から読み出される入力個人識別情報は操作認証処理部１５に送信される。次いで、操作認証処理部１５は、予め登録される操作許可個人識別情報とカードリーダ１４から送信される入力個人識別情報との認証を行う。
【００４１】
ここで、例えば、操作認証処理部１５は操作許可個人識別情報ｃ１と入力個人識別情報との認証に成功した場合には、この操作許可個人識別情報ｃ１に関連付けられる権限レベルｃ２を抽出する。この操作認証処理部１５により認証に成功したことを示す認証結果及び抽出された権限レベルｃ２は、制御部１６に送信される。次いで、制御部１６は、抽出した権限レベルｃ２に従って、操作部１３において閲覧操作可能とする範囲を設定する。例えば、この権限レベルｃ２が３レベルである場合、映像受信部１１で受信した直後の監視映像及び映像記録部１２に記録された監視映像の両方の閲覧操作が許可されるように操作部１３を制御する。
【００４２】
以上のように、この発明の実施の形態３によれば、ＩＤカード３から読み出した入力個人識別情報により認証に成功したユーザのみに対して、予め登録された範囲の監視映像の閲覧操作を許可するように構成したので、権限を与えられたユーザのみが確実に、簡単な操作により、それぞれの権限に応じた監視映像の閲覧を可能とすることができる。
【００４３】
また、この発明の実施の形態３に係る映像監視装置では、操作認証処理部１５は、３レベルなどの上位権限レベルに対応する閲覧操作の可能範囲が１レベルなどの下位権限レベルに対応する閲覧操作の可能範囲を包含するように定義したが、それぞれの権限レベルが独立するよう構成しても良い。例えば、カメラ１１が図示しない３台のカメラ１１ａ、カメラ１１ｂ及びカメラ１１ｃで構成されている場合、権限レベルａ２〜ｃ２が１レベルの場合には、カメラ１１ａの監視映像のみが閲覧操作可能であり、権限レベルａ２〜ｃ２が２レベルの場合には、カメラ１１ｂの監視映像のみが閲覧操作可能であり、権限レベルａ２〜ｃ２が３レベルの場合には、カメラ１１ｃの監視映像のみが閲覧操作可能とするように構成しても良い。
【００４４】
実施の形態４．
図４はこの発明の実施の形態４に係る映像監視装置の構成を示す図である。
図４に示すように、この発明の実施の形態４に係る映像監視装置は、図３に示す、この発明の実施の形態３に係る映像監視装置の構成からカードリーダ１４を削除し、ユーザの入退室を管理する入退室管理装置４と、監視映像記録装置２が設置される領域を区切る部屋５と、部屋５への入退室をするための扉６と、扉６に取り付けられ、部屋５への入退室を制限する電子錠７と、カードリーダ（個人識別情報入力部）１４ａとを追加したものである。
なお、図４において、入退室管理装置４は部屋５の中に設けるように構成しているが、部屋５の外に設けて構成してもよい。
以下、図３に示す、この発明の実施の形態３に係る映像監視装置と同一または同様の構成については、同一の符号を付し、その説明を省略する。
【００４５】
カードリーダ（個人識別情報入力部）１４ａは、この発明の実施の形態１〜３におけるカードリーダ１４と同等のものである。このカードリーダ１４ａは、部屋５の外側に取り付けられ、ユーザが部屋５に入室する際に使用するものである。このカードリーダ１４ａによりＩＤカード３から読み出される入力個人識別情報は、入退室管理装置４に送信される。
【００４６】
入退室管理装置４は、カードリーダ１４ａから送信される入力個人識別情報に基づいて、ユーザの部屋５への入退室を管理するものである。この入退室管理装置４は、図４に示すように、入退室認証処理部１５ｂ及び電子錠制御部１８から構成される。
【００４７】
入退室認証処理部１５ｂは、部屋５への入室を許可するユーザの入室許可個人識別情報を予め登録しており、この予め登録される入室許可個人識別情報とカードリーダ１４ａから送信される入力個人識別情報との認証を行うものである。この入退室認証処理部１５ｂにより認証に成功したか否かを示す認証結果は電子錠制御部１８に送信される。また、入退室認証処理部１５ｂはユーザの認証に成功した場合には、入力個人識別情報を監視映像記録装置２の操作認証処理部１５ａに送信する。
【００４８】
電子錠制御部１８は、入退室認証処理部１５ｂから送信される認証結果に従い、扉６に取り付けられている電子錠の開閉を制御するものである。この電子錠制御部１８は、認証結果から入退室認証処理部１５ｂが認証に成功したと判断した場合には、電子錠７を解錠し、認証結果から入退室認証処理部１５ｂが認証に失敗したと判断した場合には、電子錠を解錠しない。
【００４９】
監視映像記録装置２の操作認証処理部１５ａは、この発明の実施の形態１〜３における操作認証処理部１５と同等のものであり、予め登録された操作許可個人識別情報と入退室認証処理部１５ｂから送信される入力個人識別情報との認証を行う。
【００５０】
次に、上記のように構成される映像監視装置の動作について説明する。
まず、カードリーダ１４ａは、ユーザによってＩＤカード３を読み込ませられることにより、このＩＤカード３から入力個人識別情報を読み出す。このカードリーダ１４ａから読み出される入力個人識別情報は入退室管理装置４の入退室認証処理部１５ｂに送信される。次いで、入退室認証処理部１５ｂは、予め登録される入室許可個人識別情報とカードリーダ１４ａから送信される入力個人識別情報との認証を行う。この入退室認証処理部１５ｂにより認証に成功したか否かを示す認証結果は電子錠制御部１８に送信される。また、入退室認証処理部１５ｂはユーザの認証に成功した場合には、入力個人識別情報を監視映像記録装置２の操作認証処理部１５ａに送信する。
【００５１】
次いで、電子錠制御部１８は、入退室認証処理部１５ｂから送信される認証結果から入退室認証処理部１５ｂが認証に成功したと判断した場合には、扉６に取り付けられた電子錠７を解錠する。
【００５２】
その後の処理は、この発明の実施の形態１〜３に係る映像監視装置と同様であり、その説明を省略する。
【００５３】
一方、電子制御部１８は、認証結果から入退室認証処理部１５ｂが認証に失敗したと判断した場合には、扉６に取り付けられた電子錠７を解錠しない。
【００５４】
以上のように、この発明の実施の形態４によれば、入退室管理装置４に接続されるカードリーダ１４ａから読み出される入力個人識別情報により認証に成功したユーザのみに監視映像記録装置２が設置される部屋５への入室を許可するように構成したので、権限を与えられたユーザが簡単な操作により、監視映像記録装置２が設置される部屋５に入室することができる。また、監視映像記録装置２と入退室管理装置４による認証処理を１つのカードリーダ１４ａから読み出される入力個人識別情報に基づいて行うことができるので、コストを軽減することができる。
【００５５】
なお、この発明の実施の形態４に係る映像監視装置では、入退室認証処理部１５ｂは、ユーザの認証に成功した場合に、操作認証処理部１５ａに入力個人識別情報を送信するように構成したが、カートリーダ１４ａと操作認証処理部１５ａとも直接接続させて、カードリーダ１４ａが操作認証処理部１５ａ及び入退室認証処理部１５ｂに入力個人識別情報を送信するように構成しても構わない。
【００５６】
また、この発明の実施の形態４に係る映像監視装置では、操作認証処理部１５ａは制御部１６に認証結果を送信するように構成したが、入退室認証処理部１５ｂと制御部１６を直接接続させて、入退室認証処理部１５ｂが制御部１６に認証に成功したか失敗したかの認証結果を送信するように構成しても構わない。この場合、監視映像記録装置２には操作認証処理部１５ａは不要であり、制御部１６は、入退室認証処理部１５ｂから送信される認証結果に基づいて、操作部１３の操作可能範囲を設定し、制限を行う。
【００５７】
実施の形態５．
この発明の実施の形態４に係る映像監視装置では、入退室管理装置４はカードリーダ１４ａから送信される入力個人識別情報を用いて、監視映像記録装置２が設置された部屋５への入室を許可するように構成したものであるが、この発明の実施の形態５に係る映像監視装置は、入退室管理装置４に、部屋５に在室しているユーザを在室ユーザ一覧に登録させることにより管理させて、この在室ユーザ一覧を用いて監視映像記録装置２の権限レベルを設定するように構成したものである。
【００５８】
図５はこの発明の実施の形態５に係る映像監視装置の構成を示す図である。
図５に示すように、この発明の実施の形態５に係る映像監視装置は、図４に示す、この発明の実施の形態４に係る映像監視装置の入退室管理装置４に、部屋５に在室しているユーザを把握する在室確認部１９を追加し、部屋５の内側に、部屋５から退室するためのカードリーダ（個人識別情報入力部）１４ｂを追加したものである。
以下、図４に示す、この発明の実施の形態４に係る映像監視装置と同一または同様の構成については、同一の符号を付し、その説明を省略する。
【００５９】
カードリーダ（個人識別情報入力部）１４ｂは、この発明の実施の形態１〜３におけるカードリーダ１４と同等のものである。カードリーダ１４ｂは、部屋５の内側に取り付けられ、ユーザが部屋から退室する際に使用されるものである。このカードリーダ１４ｂによりＩＤカード３から読み出される入力個人識別情報は入退室管理装置４の入退室認証処理部１５ｂに送信される。
【００６０】
入退室認証処理部１５ｂは、部屋５への入退室を許可するユーザを識別する入退室許可個人識別情報を予め登録しており、この予め登録される入退室許可個人識別情報とカードリーダ１４ａ，１４ｂから送信される入力個人識別情報との認証を行う。入退室認証処理部１５ｂにより認証に成功したか否かを示す認証結果は電子錠制御部１８に送信される。また、入退室認証処理部１５ｂは認証に成功した場合には、入室または退室するための認証に成功したことを示す認証結果及び入力個人識別情報を在室確認部１９に送信する。
【００６１】
在室確認部１９は、入退室認証処理部１５ｂから送信される入力個人識別情報を、保持する在室ユーザ一覧に登録または削除することにより、部屋５に在室しているユーザを管理するものである。この在室確認部１９は、入退室認証処理部１５ｂからユーザが入室するための認証に成功したことを示す認証結果を受信すると、同時に受信する入力個人識別情報を在室ユーザ一覧に登録する。また、入退室認証処理部１５ｂからユーザが退室するための認証に成功したことを示す認証結果を受信すると、同時に受信する入力個人識別情報を在室ユーザ一覧から削除する。この在室確認部１９により入力個人識別情報が登録または削除された在室ユーザ一覧は監視映像記録装置２の操作認証処理部１５ａに送信される。
【００６２】
操作認証処理部１５ａは、在室確認部１９から送信される入力個人識別情報と予め登録される操作許可識別情報との認証を行う。この操作認証処理部１５ａにより認証に成功したか否かを示す認証結果は制御部１６に送信される。また、操作認証処理部１５ａにより認証に成功した場合には、在室確認部１９から送信される在室ユーザ一覧に登録されるそれぞれの入力個人識別情報から、対応する操作許可個人識別情報を検索し、この検索される複数の操作許可個人識別情報に関係付けられる権限レベルを検索する。この操作認証処理部１５ａにより検索される複数の権限レベルは制御部１６に送信される。
【００６３】
制御部１６は、操作認証処理部１５ａから認証に成功したことを示す認証結果を受信した場合、操作認証処理部１５ａから送信される複数の権限レベルのうち最も低い権限レベルに基づいて、操作部１３の操作可能範囲を設定し、制御を行う。
【００６４】
次に、上記のように構成される映像監視装置の動作について説明する。
まず、ユーザが部屋５に入室する場合では、カードリーダ１４ａは、ユーザによってＩＤカード３を読み込ませられることにより、このＩＤカード３から入力個人識別情報を読み出す。このカードリーダ１４ａから読み出される入力個人識別情報は入退室管理装置４の入退室認証処理部１５ｂに送信される。次いで、入退室認証処理部１５ｂはカードリーダ１４から送信される入力個人識別情報と予め登録される入退室許可個人識別情報との認証を行う。この入退室認証処理部１５ｂにより認証に成功したか否かを示す認証結果は電子錠制御部１８に送信される。また、入退室認証処理部１５ｂにより認証に成功した場合には、入退室認証処理部１５ｂはユーザが入室するための認証に成功したことを示す認証結果及び入力個人識別情報を在室確認部１９に送信する。
【００６５】
次いで、電子錠制御部１８は、入退室認証処理部１５ｂから送信される認証結果から入退室認証処理部１５ｂが認証に成功したと判断した場合には、扉６に取り付けられた電子錠７を解錠する。
【００６６】
次いで、在室確認部１９は、入退室認証処理部１５ｂからユーザが入室するための認証が成功したこと示す認証結果を受信した場合には、同時に送信される入力個人識別情報を在室ユーザ一覧に登録する。この在室確認部１９により入力個人識別情報が登録された在室ユーザ一覧及び入力個人識別情報は操作認証処理部１５ａに送信される。
【００６７】
次いで、操作認証処理部１５ａは、在室確認部１９から送信される入力個人識別情報と予め登録される操作許可識別情報との認証を行う。この操作認証処理部１５ａにより認証に成功したか否かを示す認証結果は制御部１６に送信される。また、この操作認証処理部１５ａにより認証に成功した場合、次いで、操作認証処理部１５ａは、在室確認部１９から送信される在室ユーザ一覧に登録されるそれぞれの入力個人識別情報に対応する操作許可個人識別情報に基づいて、権限レベルを検索する。この操作認証処理部１５ａにより検索される複数の権限レベルは制御部１６に送信される。
【００６８】
次いで、制御部１６は、操作認証処理部１５ａから認証に成功したことを示す認証結果を受信した場合、操作認証処理部１５ａから送信される複数の権限レベルのうち最も低い権限レベルに基づいて、操作部１３の操作可能範囲を設定し、制御を行う。
【００６９】
一方、ユーザが部屋５から退室する場合には、カードリーダ１４ｂは、ユーザによってＩＤカード３を読み込ませられることにより、このＩＤカード３から入力個人識別情報を読み出す。このカードリーダ１４ｂから読み出される入力個人識別情報は入退室認証処理部１５ｂに送信される。次いで、入退室認証処理部１５ｂはカードリーダ１４ｂから送信される入力個人識別情報と入退室許可個人識別情報との認証を行う。この入退室認証処理部１５ｂにより認証が成功した場合には、入退室認証処理部１５ｂは、この認証に成功したことを示す認証結果を電子錠制御部１８に送信すると共に、ユーザが退室するための認証に成功したことを示す認証結果及び入力個人識別情報を在室確認部１９に送信する。
【００７０】
次いで、電子錠制御部１８は、入退室認証処理部１５ｂから送信される認証に成功したことを示す認証結果に従い、扉６に取り付けられた電子錠７を解錠する。
【００７１】
次いで、在室確認部１９は、入退室認証処理部１５ｂからユーザが退室するための認証が成功したこと示す認証結果を受信した場合には、同時に送信される入力個人識別情報を在室ユーザ一覧から削除する。この在室確認部１９により入力個人識別情報が削除された在室ユーザ一覧及び入力個人識別情報は操作認証処理部１５ａに送信される。
【００７２】
次いで、操作認証処理部１５ａは、在室確認部１９から送信される入力個人識別情報と予め登録される操作許可識別情報との認証を行う。この操作認証処理部１５ａにより認証に成功したか否かを示す認証結果は制御部１６に送信される。また、この操作認証処理部１５ａにより認証に成功した場合、次いで、操作認証処理部１５ａは、在室確認部１９から送信される在室ユーザ一覧に登録されるそれぞれの入力個人識別情報に対応する操作許可個人識別情報に基づいて、権限レベルを検索する。この操作認証処理部１５ａにより検索される複数の権限レベルは制御部１６に送信される。
【００７３】
次いで、制御部１６は、操作認証処理部１５ａから認証に成功したことを示す認証結果を受信した場合、操作認証処理部１５ａから送信される複数の権限レベルのうち最も低い権限レベルに基づいて、操作部１３の操作可能範囲を設定し、制御を行う。
【００７４】
以上のように、この発明の実施の形態５によれば、入退室管理装置４において部屋５に在室しているユーザを管理し、在室しているユーザの中で最も低い権限レベルに従って操作部１３の操作可能範囲を設定するように構成したので、実施の形態４の効果に加え、複数のユーザが在室する場合にも、適切な権限レベルで操作部１３の操作可能範囲を設定することができる。
【００７５】
なお、この発明の実施の形態５に係る映像監視装置では、在室管理部１９が管理する在室ユーザ一覧を用いて権限レベルを設定するように構成したが、現在部屋５に在室しているユーザの権限レベルより低い権限レベルを持つユーザが認証された際に、制御部１６は、権限レベルを変更する代わりに、映像表示部１７に現在の権限レベルより新規のユーザの権限レベルが低いことを示す情報を表示させるように構成しても良い。
【００７６】
実施の形態６．
この発明の実施の形態５に係る映像監視装置は、入退室管理装置４が管理する在室ユーザ一覧を用いて権限レベルを設定するように構成したものであるが、この発明の実施の形態６に係る映像監視装置は、部屋５に所定の権限レベルを有するユーザが所定の人数以上在室している場合に、当該権限レベルに従って操作部１３の操作可能範囲を設定するように構成したものである。
この発明の実施の形態６に係る映像監視装置は、図５に示す、この発明の実施の形態５に係る映像監視装置と同等の構成であり、その説明を省略する。
【００７７】
制御部１６は、操作認証処理部１５ａから送信される認証結果からユーザの認証に成功したと判断した場合において、操作認証処理部１５ａから送信される複数の権限レベルから、所定レベル以上の権限レベルを有するユーザが、所定人数部屋５に在室すると判断した場合、この権限レベル基づいて、操作部１３の操作可能範囲を設定し、制御を行う。
【００７８】
次に、この映像監視装置の動作について説明する。
操作認証処理部１５ａは、新規のユーザの認証に成功した場合に、在室確認部１９から送信される在室ユーザ一覧に登録されるそれぞれの入力個人識別情報に対応する操作許可個人識別情報に基づいて、権限レベルを検索する。この操作認証処理部１５ａにより検索される複数の権限レベルは制御部１６に送信される。
【００７９】
ここで例えば、制御部１６は、ある権限レベルを有するユーザが三人以上いる場合に、当該権限レベルに設定すると定義した場合において、部屋５に権限レベルが３レベルであるユーザが一人、権限レベルが２レベルであるユーザが一人、権限レベルが１レベルであるユーザが一人在室している場合には、権限レベルが２レベル以上であるユーザは二人、権限レベルが１レベル以上であるユーザは三人在室していることになるので、権限レベルを１レベルに設定して操作部１３を制御する。
【００８０】
ここで、さらに権限レベルが３レベルである新規のユーザが部屋５に入室した場合には、権限レベルが２レベル以上であるユーザは三人在室していることになるので、制御部１６は権限レベルを２レベルに設定して操作部１３を制御する。
【００８１】
その後、権限レベルが２レベルであるユーザが部屋５から退室した場合には、権限レベルが３レベルであるユーザは二人、権限レベルが１レベルであるユーザは一人在室していることになるので、制御部１６は権限レベルを１レベルに設定して操作部１３を制御する。
それ以外の動作は、この発明の実施の形態５に係る映像監視装置の動作と同様であり、その説明を省略する。
【００８２】
以上のように、この発明の実施の形態６によれば、所定の権限レベルを有するユーザが所定人数以上在室している場合に、その所定の権限レベルに従って、操作部１３の操作可能範囲を設定するように構成したので、安全性を向上させることができる。
【００８３】
実施の形態７．
この発明の実施の形態５〜６に係る映像監視装置では、入退室管理装置４が管理する在室ユーザ一覧を用いて、監視映像記録装置２の権限レベルを設定するように構成したものであるが、この発明の実施の形態７に係る映像監視装置は、新規のユーザの権限レベルと監視映像記録装置２の制御部１６により設定された権限レベルに応じて、扉６に取り付けられる電子錠７の開閉を制御するように構成したものである。
【００８４】
図６はこの発明の実施の形態７に係る映像監視装置の構成を示す図である。
以下、図５に示す、この発明の実施の形態５に係る映像監視装置と同一または同様の構成については、同一の符号を付し、その説明を省略する。
【００８５】
入退室認証処理部１５ｂは、カードリーダ１４ａ，１４ｂから送信される入力個人識別情報と予め登録される入退室許可個人識別情報との認証を行い、ユーザが入室するための認証に成功した場合には、この入力個人識別情報を操作認証処理部１５ａに送信し、ユーザが退出するための認証に成功した場合には、この入力個人識別情報及び認証に成功したことを示す認証結果を在室確認部１９に送信するものである。
【００８６】
操作認証処理部１５ａは、入退室認証処理部１５ｂから送信される入力個人識別情報に対応する操作許可個人識別情報に対応付けられる権限レベルを検索し、入室しようとしている新規のユーザの権限レベルと制御部１６により設定されている権限レベルとを比較し、両者が同等か、新規のユーザの権限レベルが制御部１６により設定されている権限レベルよりも高い場合には、操作認証処理部１５ａは認証に成功したことを示す認証結果及び入力個人識別情報を在室確認部１９に送信する。一方、認証処理部１５ａは、新規のユーザの権限レベルが制御部１６により設定されている権限レベルよりも低いと判断した場合には、認証に失敗したことを示す認証結果を在室確認部１９を介して電子錠制御部１８に送信する。
【００８７】
在室確認部１９は、操作認証処理部１５ａから認証に成功したことを示す認証結果を受信した場合には、同時に受信される入力個人識別情報を在室ユーザ一覧に登録する。この在室確認部１９により入室する新規のユーザの入力個人識別情報が登録された在室ユーザ一覧は操作認証処理部１５ａに送信されるとともに、操作認証処理部１５ａから受信した認証結果を電子錠制御部１８に送信する。また、入退室認証処理部１５ｂから認証に成功したことを示す認証結果を受信した場合には、同時に受信される入力個人識別情報を在室ユーザ一覧から削除する。この在室確認部１９により退出するユーザの入力個人識別情報が削除された在室ユーザ一覧は操作認証処理部１５ａに送信されるとともに、入退室認証処理部１５ｂから受信した認証結果を電子錠制御部１８に送信する。
【００８８】
次に、上記のように構成される映像監視装置の動作について説明する。
まず、ユーザが部屋５に入室する場合では、カードリーダ１４ａは、ユーザによってＩＤカード３を読み込ませられることにより、このＩＤカード３から入力個人識別情報を読み出す。このカードリーダ１４ａから読み出される入力個人識別情報は入退室管理装置４の入退室認証処理部１５ｂに送信される。次いで、入退室認証処理部１５ｂはカードリーダ１４ａから送信される入力個人識別情報と予め登録される入退室許可個人識別情報との認証を行う。この入退室認証処理部１５ｂにより認証に成功した場合には、入退室認証処理部１５ｂは入室しようとしている新規のユーザの入力個人識別情報を操作認証処理部１５ａに送信する。
【００８９】
次いで、操作認証処理部１５ａは、入退室認証処理部１５ｂから送信される入力個人識別情報を用いて認証を行う。具体的には、操作認証処理部１５ａは、入退室認証処理部１５ｂから送信される入力個人識別情報に対応する操作許可個人識別情報に基づいて、入室しようとしている新規のユーザの権限レベルを検索する。次いで、操作認証処理部１５ａは、入室しようとしている新規のユーザの権限レベルと制御部１６により設定されている権限レベルとを比較し、両者が同等か、制御部１６により設定されている権限レベルの方が低い場合には、操作認証処理部１５ａはユーザの認証に成功したことを示す認証結果及び入力個人識別情報を在室確認部１９に送信する。
【００９０】
次いで、在室確認部１９は、操作認証処理部１５ａから認証に成功したことを示す認証結果及び入力個人識別情報を受信すると、この入力個人識別情報を在室ユーザ一覧に登録する。在室確認部１９は認証結果を電子錠制御部１８に送信すると共に、在室ユーザ一覧を操作認証処理部１５ａに送信する。次いで、電子錠制御部１８は、在室確認部１９から認証に成功したことを示す認証結果を受信すると、扉６に取り付けられた電子錠７を解錠する。
【００９１】
一方、操作認証処理部１５ａは、制御部１６により設定される権限レベルが入室しようとする新規のユーザの権限レベルより高いと判断した場合には、認証に失敗したことを示す認証結果を在室確認部１９を介して電子錠制御部１８に送信する。次いで、電子錠制御部１８は、在室確認部１９から送信される認証結果から、ユーザの認証に失敗したと判断した場合には、扉６に取り付けられた電子錠７は解錠しない。
【００９２】
一方、ユーザが部屋５から退室する場合には、カードリーダ１４ｂは、ユーザによってＩＤカード３を読み込ませられることにより、このＩＤカード３から入力個人識別情報を読み出す。このカードリーダ１４ｂから読み出される入力個人識別情報は入退室認証処理部１５ｂに送信される。次いで、入退室認証処理部１５ｂはカードリーダ１４ｂから送信される入力個人識別情報と予め登録される入退室許可個人識別情報との認証を行う。この入退室認証処理部１５ｂによりユーザの認証が成功した場合には、入退室認証処理部１５ｂはこの入力個人識別情報及び認証に成功したことを示す認証結果を在室確認部１９に送信する。
【００９３】
次いで、在室確認部１９は、操作認証処理部１５ａから認証に成功したことを示す認証結果及び入力個人識別情報を受信すると、入力個人識別情報を在室ユーザ一覧から削除する。在室確認部１９は認証結果を電子錠制御部１８に送信すると共に、在室ユーザ一覧を操作認証処理部１５ａに送信する。次いで、電子錠制御部１８は、在室確認部１９から認証に成功したことを示す認証結果を受信すると、扉６に取り付けられた電子錠７を解錠する。
【００９４】
次いで、操作認証処理部１５ａは在室確認部１９から送信される在室ユーザ一覧から、部屋５に在室しているユーザの入力個人識別情報に対応する操作許可個人情報を検索して、この検索される操作許可個人識別情報に関連付けられる権限レベルを検索し、検索される複数の権限レベルを制御部１６に送信する。
【００９５】
次いで、制御部１６は、操作認証処理部１５ａから送信される複数の権限レベルのうち最低の権限レベルに従って、操作部１３の操作可能範囲を設定し、制御する。
それ以外の動作は、この発明の実施の形態５に係る映像監視装置の動作と同様であり、その説明を省略する。
【００９６】
以上のように、この発明の実施の形態７によれば、監視映像記録装置２の現在の権限レベルより低い権限を有するユーザの入室を拒否するように構成したことにより、複数のユーザが在室する場合にも、適切な権限レベルで操作部１３の操作可能範囲を設定することができる。
【符号の説明】
【００９７】
１  カメラ、２  監視映像記録装置、３  ＩＤカード、４  入退室管理装置、５  部屋、６  扉、７  電子錠、１１  映像受信部、１２  映像記録部、１３  操作部、１４，１４ａ，１４ｂ  カードリーダ（個人識別情報入力部）、１５，１５ａ  操作認証処理部、１５ｂ  入退室認証処理部、１６  制御部、１７  映像表示部、１８  電子錠制御部、１９  在室確認部。
【図１】
2011004049.tif 000003
【図２】
2011004049.tif 000004
【図３】
2011004049.tif 000005
【図４】
2011004049.tif 000006
【図５】
2011004049.tif 000007
【図６】
2011004049.tif 000008